(57)【要約】      （修正有）【課題】抗電磁波干渉及び固定構造を具有する情報ソケットの構造を提供する。【解決手段】情報ソケット１及び接続弾性フック２からなり、情報ソケットは、情報ソケットの外側に抗電磁波干渉エンクロージャ１０を形成し、接続弾性フックを挿入するスロット１４を形成する抗電磁波干渉エンクロージャの表面にＬ字形カードスロット１４１と係止スロット１４３を設けて接続弾性フックを取り外し可能に固定すると共に、留め部１７及び一組のサイド留め部１８を抗電磁波干渉エンクロージャの他の表面に設け、損傷した接続弾性フックを交換可能とすると共に接続された情報プラグのケーブルが引っ張り力を受けても対抗可能とする。【選択図】図１
0003223099.tif 000002
【実用新案登録請求の範囲】
【請求項１】
情報ソケット及び接続弾性フックからなり、
該情報ソケットは、該情報ソケットの外周を囲む抗電磁波干渉エンクロージャを形成すると共に情報プラグと接続するための少なくとも一つのジャックを該抗電磁波干渉エンクロージャの片側に凹設し、
該抗電磁波干渉エンクロージャは、更に、上記接続弾性フックの一端側部をスライドして挿入し、取り外し可能に結合するカードスロットを該抗電磁波干渉エンクロージャの片側に凸設した、
ことを特徴とする抗電磁波干渉及び固定構造を具有する情報ソケットの構造。
【請求項２】
前記カードスロットは、Ｌ字型カードスロット及び係止スロットから構成され、
該Ｌ字型カードスロットは、前記抗電磁波干渉エンクロージャの片側面に沿ってその表面に凸設し、
該係止スロットは、該Ｌ字型カードスロットとスロットを平行にして凸設し、
これらのスロットは前記接続弾性フックの一端部がスライド挿入可能となるように抗電磁波干渉エンクロージャの表面との間に形成されてこれらのスロットに挿入された接続弾性フックを取り外し可能に結合することを特徴とする請求項１記載の情報ソケットの構造。
【請求項３】
前記接続弾性フックは、
一方の側辺にＬ字型段差部を設けて前記Ｌ字型カードスロットに当接させ、
前記各スロットに挿入される前記接続弾性フック一端部は該Ｌ字型段差部から他辺まで延長形成された段差部を形成すると共に該段差の一部分を起立させて突出延伸した弾性係止部を形成し、
Ｌ字型カードスロット及び係止スロットにスライド挿入された該接続弾性フックの該弾性係止部が係止スロットを経て起立して係止され、該弾性係止部の押圧操作により取り外し可能に接続弾性フックを固定することを特徴とする請求項２記載の情報ソケットの構造。
【請求項４】
前記抗電磁波干渉エンクロージャは、更に一つの突起を備え、該突起は前記Ｌ字型カードスロット及び係止スロットの前端の間に突設し、該接続弾性フックの底側に一つの溝を開設して該溝により掛止する該突起から取り外すことができるようにしたことを特徴とする請求項３記載の情報ソケットの構造。
【請求項５】
前記抗電磁波干渉エンクロージャは、更に、
留め部、一組のサイド留め部を備え、
該留め部は、該抗電磁波干渉エンクロージャの片側に形成し、該一組のサイド留め部はそれぞれ該留め部の相対する抗電磁波干渉エンクロージャの両サイドに形成し、
前記サイド留め部の両サイドにそれぞれ水平止め部を形成して、該両サイドの水平止め部の間に増幅止め部を接続し、該増幅止め部は該抗電磁エンクロージャの表面に片側に沿って延伸して形成することにより補強したことを特徴とする請求項１記載の情報ソケットの構造。
【請求項６】
前記サイド留め部の増幅止め部は、錐型構造であることを特徴とする請求項５記載の情報ソケットの構造。
【請求項７】
前記該増幅止め部は、Ｖ字型構造であることを特徴とする請求項６記載の情報ソケットの構造。
【考案の詳細な説明】
【技術分野】
【０００１】
本考案は一種の情報ソケットの構造に関し、特に抗電磁波干渉及び固定構造を具有する情報ソケットの構造に関する。
【背景技術】
【０００２】
従来技術の情報ソケットは、情報ボックス或いは各種機構の情報接続ユニットなどの情報装置(図示略)と結合するが、抗電磁波干渉機能が十分とは云えないという問題を有する。また、該情報ソケットの接続弾性フックは通常、情報ソケットのエンクロージャと一体成型するため、接続弾性フックが損壊するときは交換できない。よって、該従来技術の情報ソケットはこのように一旦損傷すると再び情報ボックス或いは各種機構の情報接続ユニットなどの通信装置に使用することができない。
また、該情報ソケットのジャックにより、情報プラグ及びそのケーブルと接続するが、該ケーブルは頻繁に外力の干渉を受けて、大きな引張力が発生し、該情報ソケットを引っ張る。しかし、情報ソケットのエンクロージャの固定構造のデザインは、エンクロージャの限られた面積に制限されるため、情報ソケットは情報プラグのケーブルが引っ張られることで損壊或いは接続する情報ボックス、或いは各種機構の情報接続ユニットなどの通通信装置から離脱してしまう問題を抱えることを鑑みて、前記問題を解決できるソケットに改善する必要があった。
【先行技術文献】
【特許文献】
【０００３】
【特許文献１】特開平９−２９３５７０号公報
【考案の概要】
【考案が解決しようとする課題】
【０００４】
前記従来技術の欠点を解決するため、本考案は抗電磁波干渉及び固定構造を具有する情報ソケットを提供することを主な課題とする。
【課題を解決するための手段】
【０００５】
前記課題を解決するために、本考案は抗電磁波干渉及び固定構造を具有する情報ソケットの構造を提供するものである。それに含まれるのは情報ソケット及び接続弾性フックである。さらに該情報ソケットに含まれるのは抗電磁波干渉エンクロージャ及び少なくとも一つのジャックである。該抗電磁波干渉エンクロージャは、該情報ソケットの外側に形成し、該ジャックは該抗電磁波干渉エンクロージャの片側に凹設する。該ジャックは情報プラグ(図示省略)を接続するためのものである。
【０００６】
前記抗電磁波干渉エンクロージャは、更に前記接続弾性フックを取り外し可能に固定するためのカードスロットを含み、該カードスロットは該抗電磁波干渉エンクロージャの片側に凸設する。
【０００７】
さらに、該接続弾性フックの片側は該抗電磁波干渉エンクロージャに対して取り外し可能で該カードスロットと結合して固定する。該接続弾性フックの別側のフリーエンドは、弾性的に情報ボックス或いは各種機構の情報接続ユニットなど(図示省略)と接続することができる。
【０００８】
それにより、該抗電磁波干渉及び固定構造を具有する情報ソケットを情報ボックス或いは各種機構の情報接続ユニットなどの通信装置(図示省略)に結合すると、電磁波の干渉を防止することができる。該接続弾性フックは弾性的に情報ボックス或いは各種機構の情報接続ユニットなどの接続機構(図示を省略)に接続することができる。該接続弾性フックは、損壊或いは弾性機能低下など、性能に影響を及ぼす状況の下で使用する際、該接続弾性フックは新しい接続弾性フックに交換することができる。これは従来技術の情報ソケットの接続弾性フックが損壊した状況においては、交換することができず、そ
れにより再び使用できないなどの問題を克服するものである。
【０００９】
本考案の幾つかの実施例は、従来技術の幾つかの問題を克服するものである。例えば該情報ソケットエンクロージャの固定構造デザインは、エンクロージャの限られた面積に制限されるため、該情報ソケットは情報プラグと接続することで、情報プラグのケーブルが外力によって引っ張られる問題が発生した。それにより、本考案の情報ソケットの抗電磁波干渉エンクロージャは更に留め部及び1組のサイド留め部をそれぞれ異なるサイドに凸設する。情報ソケットは接続弾性フックを片側に接続し、該カードスロット、留め部及び1組のサイド留め部はそれぞれ取り外しできるように情報ボックス或いは各種機構の情報接続ユニットなどに接続する。
該情報ソケットは情報プラグ及びケーブルと接続し、該情報ソケットの抗電磁波干渉エンクロージャ表面の留め部及びサイド留め部は、情報プラグのケーブルが外力の干渉を受けることにより発生する大きな引っ張る力を遮断するものである。
【考案の効果】
【００１０】
本考案により、該情報ソケットは外部からの電磁波干渉を防止することができると同時に、留め部及びサイド留め部は、情報プラグのケーブルが外力の干渉を受けることにより発生する大きな引張力を遮ることができる。
【図面の簡単な説明】
【００１１】
【図１】本考案の抗電磁波干渉及び固定構造を具有する情報ソケットの斜視図である。
【図２】本考案の情報ソケットの該接続弾性フックの透視図である。
【図３】本考案の情報ソケットの該接続弾性フックを該抗電磁波干渉エンクロージャに差し込む時の略図である。
【図４】本考案の情報ソケットの該接続弾性フックの底面図である。
【図５】図１の情報ソケットの俯瞰図である。
【図６】図１の情報ソケットの側面図である。
【考案を実施するための形態】
【００１２】
以下、本考案の構造と特徴および効果を、最良実施例と図面を参照しながら詳細に説明する。
【実施例】
【００１３】
図１から図３に示すのは、それぞれ本考案の実施例の情報ソケット１の略図である。本考案は一種の抗電磁波干渉及び固定構造を具有する情報ソケットである。それに含まれるのは情報ソケット１及び接続弾性フック２である。
該情報ソケット１に含まれるのは抗電磁波干渉エンクロージャ１０、少なくとも一つのジャック１２である。該抗電磁波干渉エンクロージャ１０は該情報ソケット１の外周を覆うケーシングを形成し、該ジャック１２は該抗電磁波干渉エンクロージャ１０の一端側に凹設する。該ジャック１２は情報プラグの挿入スペースを具有し、情報プラグ(図示省略)を接続するためのものである。該抗電磁波干渉エンクロージャ１０は更にカードスロット１４を備え、該カードスロット１４は該抗電磁波干渉エンクロージャ１０の外側面に凸設する。
【００１４】
前記接続弾性フック２の片側は、前記カードスロット１４と取り外し可能に結合して抗電磁波干渉エンクロージャ１０に固定する。該接続弾性フック２の他側のフリーエンドは、弾性的に情報ボックス或いは各種機構の情報接続ユニットなど(図示省略)と接続することができる。
【００１５】
以上の構成により、該抗電磁波干渉及び固定構造を具有する情報ソケットを情報ボックス或いは各種機構の情報接続ユニットなどに結合すると、電磁波の干渉を防止することができる。
該接続弾性フック２は、弾性的に情報ボックス或いは各種機構の情報接続ユニットなどの接続機構(図示を省略)に接続することができる。該接続弾性フック２は、損壊或いは弾性機能低下など、固定・接続機能が損なわれた場合に情報ソケット１の抗電磁波干渉エンクロージャ１０のカードスロット１４から取り外し、他の新しい接続弾性フック２を該抗電磁波干渉エンクロージャ１０のカードスロット１４に挿入して交換することができる。これは従来技術の情報ソケットの接続弾性フック２が損壊した場合に損壊部品を交換できず、従来の情報ソケットが再び情報ボックス或いは各種機構の情報接続ユニットと結合できないなどの問題を克服する。
【００１６】
本考案の複数の実施例において、該抗電磁波干渉エンクロージャ１０の材質は例えば金属、絶縁材料或いは複合材とし、該金属材料は例えば鉄、銅、アルミのいずれか一つである。
【００１７】
本考案の一実施例にて述べる抗電磁波干渉及び固定構造を具有する情報ソケットについて、該情報ソケットに挿入する情報プラグは、ネットワークプラグ或いは電話プラグなど、各種の遠距離通信接続装置を含む。
【００１８】
図２から図３に示す本考案の実施例について、前記接続弾性フック２を接続するカードスロット１４はＬ字型カードスロット１４１、係止スロット１４３を含む。
該Ｌ字型カードスロット１４１は該抗電磁波干渉エンクロージャ１０の片側表面に凸設し、該係止スロット１４３は該Ｌ字型カードスロット１４１の片側と平行して凸設し、該抗電磁波干渉エンクロージャ１０の片側表面との間に続弾性フック２の片側をスライド挿入するスロットを形成する。
前記接続弾性フック２は、図示するように係止スロット１４３を経てＬ字型カードスロット１４１のスロット内を滑らせて挿入され、後述するロック機構により係止スロット１４３に係止される。逆に、該接続弾性フック２を取り外すときはこのロック機構を解除して係止スロットから解放し、離脱する。
【００１９】
図１から図４に示す本考案の一実施例として、該接続弾性フック２の更なる構成は：Ｌ字型段差部２１が該接続弾性フック２の一測端側に設けられ、段差２３が該Ｌ字型段差部２１端面より垂直に該接続弾性フック２の他側にまで延長形成される。
また。該段差２３上面の一部分を起立突出させて弾性係止部２３１を形成する。それにより該接続弾性フック２の段差２３をＬ字型カードスロット１４１、係止スロット１４３に挿入すると係止スロット１４３を通過した弾性係止部２３１が起立してこの係止スロット１４３端面に当接してロックされ、該接続弾性フック２が固定される。
また、この該接続弾性フック２を取り外すときは、この弾性係止部２３１を押圧して係止スロット１４３ロックを外せば、容易に取り外すことができる。
前記接続弾性フック２側面のＬ字型段差部２１は抗電磁波干渉エンクロージャ１０のＬ字型カードスロット１４１に当接し、前記段差２３の両測端はそれぞれ該Ｌ字型カードスロット１４１及び係止スロット１４３に当接及び掛止し、同時に該弾性係止部２３１のフリーエンドは起立して弾性的に該係止スロット１４３の片側に当接してロックする。
逆に該接続弾性フックの段差２３にある弾性係止部２３１の起立したフリーエンドを押圧することにより、該係止スロット１４３のロックから離脱し、接続弾性フック２片側の段差２３は、Ｌ字型カードスロット１４１より、係止スロット１４３のスライドを介してスライドさせて接続弾性フック２はカードスロットから離脱することができる。
【００２０】
図２、図３、図４、図６に示す本考案の一つの実施例として、該抗電磁波干渉エンクロージャ１０は更に一つの突起１６を含む。該突起１６は該Ｌ字型カードスロット１４１及び係止スロット１４３の前端の間に突設する。
これに対して該接続弾性フック２の底側に一つの溝２５を開設する。該溝２５により、掛止する該突起１６から取り外すことができる。該突起１６の高さを介し、該接続弾性フック２の別側フリーエンドは、仰起した接続開口の角度を固定することができる。該仰角が形成する隙間により、接続弾性フック２は更に安定した弾性的作動スペースを具有し、該接続弾性フック２の別側のフリーエンドがスムーズに情報ボックス或いは各種機構の情報接続ユニットなどの通信装置と結合及び取り外すことができる。
【００２１】
図１、図５及び図６に示す本考案の一つの実施例として、該抗電磁波干渉エンクロージャ１０は更に留め部１７、1組のサイド留め部１８を含む。該留め部１７は該抗電磁波干渉エンクロージャ１０の片側に形成し、該1組のサイド留め部１８はそれぞれ該留め部１７の相対する両サイドの抗電磁波干渉エンクロージャ１０に形成する(図５を参照)。
通常の情報ソケットエンクロージャの固定構造デザインは、限られた面積に制限されるため、該情報ソケットは一つの情報ボックス内で結合し、且つ一つの情報プラグを接続するため、情報プラグのケーブルに引っ張られることが多く、情報ソケットのエンクロージャが情報ボックスに結合しても、引っ張られる力に耐えられる機能に改良する必要がある。よって、本考案のサイド留め部１８の両サイドにそれぞれ水平止め部１８１を形成する。該両サイドの水平止め部１８１の間に一つの増幅止め部１８３を接続し、該増幅止め部１８３は抗電磁波干渉エンクロージャ１０の限られた面積より、該抗電磁エンクロージャ１０の表面に沿って、片側にある距離の増幅止め部１８３を延伸して体積或いは面積を増やすことで、サイド留め部１８を増やし、外部からの引っ張る力を増幅止め部１８３にまで分散する。該増幅止め部１８３は分散された力を抗電磁波干渉エンクロージャ１０にまで伝えることで、比較的大きな外力を遮ることができる。
該情報ソケット１の留め部１７及び該1組のサイド留め部１８は、一つの情報ボックス或いは各種の機構の情報接続ユニットの固定構造(図示を省略)から取り外しできるように掛止する。該留め部１７は、一つの方向からの情報プラグと接続する情報ソケット１が受ける外力を阻止する。逆に、サイド留め部１８は、別の方向からの情報プラグと接続する情報ソケット１が受ける外力を阻止する。例えば、該情報プラグケーブルが外力によって引っ張られる際、特に情報ボックス下方方向の情報ソケット１のジャック１２の下方と連結して懸垂する情報プラグのケーブルは、強風などの外力に引っ張られるため、しっかりとしたサイド留め部１８を情報ボックス内に固定して抵抗する必要がある。よって、該水平止め部１８１は情報ボックス内に設置し、該ケーブルの引っ張る力を阻止すると同時に、水平止め部１８１が受ける引っ張る力を、増幅止め部１８３に伝え、増幅止め部１８３はその力を更に抗電磁波干渉エンクロージャ１０に分散して抵抗する。該サイド留め部１８が一つの情報ボックス内で結合することで、力を受けるポイントにて破壊されるのを避けることができる。
【００２２】
図１、図５及び図６に示す本考案の一つの実施例として、前記サイド留め部１８の増幅止め部１８３は錐型構造であり、増幅止め部１８３錐型構造の両端にある水平止め部１８１を一つの情報ボックス内部或いは機構の中に結合し、情報プラグケーブルが外力によって引っ張られる際に巨大な反発力で阻止する。該水平止め部１８１はその力を錐型構造に伝え、増幅止め部１８３錐型構造はその力を抗電磁波干渉エンクロージャ１０の表面に分散する。
【００２３】
図１、図５及び図６に示す本考案の一つの実施例として、前記サイド留め部１８の増幅止め部１８３はＶ字型構造である。該水平止め部１８１が遮る引っ張る力は該増幅止め部１８３のＶ字型構造にまで伝える。該力はＶ字型両サイドの構造体において、それぞれ幾何水平及び垂直方向の角度に形成し、力を分散して該抗電磁波干渉エンクロージャ１０にまで伝える。該サイド留め部１８が情報ボックス内で結合することで、力を受けるポイントにて破壊されるのを避けることができる。
【００２４】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２５】
１  情報ソケット
１０  抗電磁波干渉エンクロージャ
１２  ジャック
１４  カードスロット
１４１  Ｌ字型カードスロット
１４３  係止スロット
１６  突起
１７  留め部
１８  サイド留め部
１８１  水平止め部
１８３  増幅止め部
２  接続弾性フック
２１  Ｌ字型段差部
２３  段差
２３１  弾性係止部
２５  溝
【図１】
0003223099.tif 000003
【図２】
0003223099.tif 000004
【図３】
0003223099.tif 000005
【図４】
0003223099.tif 000006
【図５】
0003223099.tif 000007
【図６】
0003223099.tif 000008